(57)【特許請求の範囲】
【請求項１】
公衆回線に接続される回線インターフェースと、
テレビ電話機に接続される電話インターフェースと、
カメラ付きのドアホン子機に接続される子機インターフェースと、
この子機インターフェースからの映像信号を前記公衆回線およびテレビ電話機用の伝送方式に整合させ、また前記ドアホン子機用の通話信号を前記公衆回線およびテレビ電話機用の伝送方式に整合させるコーデックと、
このコーデックにおける前記公衆回線およびテレビ電話機側に接続されるモデムと、
前記回線インターフェースおよび電話インターフェースを介して前記公衆回線およびテレビ電話機をそれぞれ前記モデムに切換接続するスイッチと
を備えるドアホン子機アダプタ。
【請求項２】
前記テレビ電話機からのダイアル番号を検出する電話側検出手段を備え、この電話側検出手段によって検出されたダイアル番号がローカル接続用のダイアル番号であれば、前記スイッチを切り換えて、前記電話インターフェースを介して前記テレビ電話機を前記モデムに接続する請求項１記載のドアホン子機アダプタ。
【請求項３】
前記ドアホン子機および公衆回線からの呼出を報知する報知手段と、前記テレビ電話機のフックを検出するフック検出手段とを備え、このフック検出手段によってフックが検出される毎に、前記回線インターフェースおよび電話インターフェースを介して前記公衆回線およびテレビ電話機をそれぞれ前記モデムに切換接続する請求項１記載のドアホン子機アダプタ。
【請求項４】
前記公衆回線からの着信を検出する着信検出手段と、文字情報を前記テレビ電話機の画面にインポーズするオンスクリーン手段とを備える請求項１記載のドアホン子機アダプタ。
【請求項５】
前記子機インターフェースは、少なくとも１台の前記ドアホン子機に接続されるドアホンインターフェースと、少なくとも１台の監視カメラに接続されるカメラインターフェースと、前記ドアホンインターフェースおよびカメラインターフェースを前記コーデック側に切換接続する切換手段とを有する請求項１記載のドアホン子機アダプタ。
【請求項６】
留守設定手段と、前記公衆回線からのダイアル番号を検出する回線側検出手段と、所望するリモート接続用のダイアル番号を設定する番号設定手段とを備え、前記留守設定手段の設定が留守である場合に、前記回線側検出手段によって検出されたダイアル番号が前記リモート接続用のダイアル番号であれば、前記スイッチを切り換えて、前記回線インターフェースを介して前記公衆回線を前記モデムに接続する請求項１記載のドアホン子機アダプタ。
【請求項７】
前記テレビ電話機からのダイアル番号を検出する電話側検出手段と、前記ドアホン子機および監視カメラの各々に所望するユニークな切換用のダイアル番号を割当設定する番号設定手段とを備え、前記電話側検出手段によって検出されたダイアル番号が前記切換用のダイアル番号であれば、前記ドアホンインターフェースおよびカメラインターフェースのうち、その切換用のダイアル番号に対応するインターフェースを前記コーデック側に接続する請求項５記載のドアホン子機アダプタ。
【請求項８】
前記公衆回線と前記テレビ電話機とを電気的に直結する直結手段と、停電の検出を行い、停電を検出すると前記直結手段によって前記公衆回線と前記テレビ電話機とを電気的に直結させる停電検出手段とを備える請求項１記載のドアホン子機アダプタ。
【請求項９】
公衆回線に接続される回線インターフェースと、テレビ電話機に接続される電話インターフェースと、カメラ付きのドアホン子機に接続される子機インターフェースと、この子機インターフェースからの映像信号を前記公衆回線およびテレビ電話機用の伝送方式に整合させ、また前記ドアホン子機用の通話信号を前記公衆回線およびテレビ電話機用の伝送方式に整合させるコーデックと、このコーデックにおける前記公衆回線およびテレビ電話機側に接続されるモデムと、前記回線インターフェースおよび電話インターフェースを介して前記公衆回線およびテレビ電話機をそれぞれ前記モデムに切換接続するスイッチとを備えるとともに、
前記テレビ電話機からのダイアル番号を検出する電話側検出手段と、前記ドアホン子機および公衆回線からの呼出を報知する報知手段と、前記テレビ電話機のフックを検出するフック検出手段と、前記公衆回線からの着信を検出する着信検出手段と、文字情報を前記テレビ電話機の画面にインポーズするオンスクリーン手段と、留守設定手段と、前記公衆回線からのダイアル番号を検出する回線側検出手段と、所望するリモート接続用のダイアル番号を設定するとともに、前記ドアホン子機および監視カメラの各々に所望するユニークな切換用のダイアル番号を割当設定する番号設定手段と、前記公衆回線と前記テレビ電話機とを電気的に直結する直結手段と、停電の検出を行い、停電を検出すると前記直結手段によって前記公衆回線と前記テレビ電話機とを電気的に直結させる停電検出手段とを備え、
前記子機インターフェースは、少なくとも１台の前記ドアホン子機に接続されるドアホンインターフェースと、少なくとも１台の監視カメラに接続されるカメラインターフェースと、前記ドアホンインターフェースおよびカメラインターフェースを前記コーデック側に切換接続する切換手段とを有し、
前記電話側検出手段によって検出されたダイアル番号がローカル接続用のダイアル番号であれば、前記スイッチを切り換えて、前記電話インターフェースを介して前記テレビ電話機を前記モデムに接続し、
前記フック検出手段によってフックが検出される毎に、前記回線インターフェースおよび電話インターフェースを介して前記公衆回線およびテレビ電話機をそれぞれ前記モデムに切換接続し、
前記留守設定手段の設定が留守である場合に、前記回線側検出手段によって検出されたダイアル番号が前記リモート接続用のダイアル番号であれば、前記スイッチを切り換えて、前記回線インターフェースを介して前記公衆回線を前記モデムに接続し、
前記電話側検出手段によって検出されたダイアル番号が前記切換用のダイアル番号であれば、前記ドアホンインターフェースおよびカメラインターフェースのうち、その切換用のダイアル番号に対応するインターフェースを前記コーデック側に接続する
ドアホン子機アダプタ。
【発明の詳細な説明】
【０００１】
【発明の属する技術分野】
本発明は、カメラ付きのドアホン子機とテレビ電話機とを接続するためのドアホン子機アダプタに関するものである。
【０００２】
【従来の技術】
従来、カメラ付きのドアホン子機および専用のモニタテレビ（画面）付きの親機がドアホンシステムとして種々市販され、特に住宅などで、来訪者の映像を確認しながらの双方向の通話に使用されている。
【０００３】
図２はこのようなドアホンシステムの例を示す図、図３は図２に示すテレビ電話機の構成図、図４は図２に示すドアホン子機の構成図、図５は図２に示す親機の構成図で、これらの図を用いて以下に従来のドアホンシステムの説明を行う。
【０００４】
図２において、例えばカメラ付きのドアホン子機３は玄関などに設置され、モニタ画面付きの親機５は居室に設置され、それらは接続線（２線平衡ケーブル）Ｌ３で接続される。また、ドアホン子機アダプタ（以下、単にアダプタ）６は、親機５の近傍に設置され、その親機５と接続線（２線平衡ケーブル）Ｌ４で接続されるとともに、接続線（２線平衡ケーブル）Ｌ１を介して公衆回線Ｎに接続される。さらに、テレビ電話機２は接続線（２線平衡ケーブル）Ｌ２でアダプタ６に接続される。ただし、アダプタ６には、テレビ電話機２ではなく、画面を有さない通常の電話機が接続される場合もある。
【０００５】
図３において、テレビ電話機２は、接続線Ｌ２を介してアダプタ６に接続される一対の接続端子２０１と、着信を報知するリンガー２０２と、公衆回線Ｎと接続するとともに通話信号を分離するスピーチネットワーク２０３と、公衆回線Ｎとデータの送受信を行うモデム２０４と、映像信号および通話信号を通話相手のテレビ電話機と整合の取れたデータ信号に圧縮伸張するコーデック２０５と、受信映像表示用のモニタテレビユニット２０６と、相手と双方向に通話するために使用されるマイク２０７およびスピーカ２０８と、マイク２０７からの音声信号増幅用のマイクアンプ２０９と、通話相手からの音声信号を増幅してスピーカを駆動するスピーカアンプ２１０と、ダイアル番号などの入力を行う１０キー２１１と、入力したダイアル番号を出力するダイアラー２１２と、接点２２１，２２２を有し、マイクアンプ２０９およびスピーカアンプ２１０を、通話相手が一般電話であればスピーチネットワーク２０３に切換接続する一方、通話相手がテレビ電話であればコーデック２０５に切換接続するスイッチ２２０と、スイッチ２２０の駆動を行うスイッチ制御回路２１３と、当該テレビ電話機２の各部の制御を行うＣＰＵ２００と、交流電源から直流電圧が所定レベルで安定する直流電力を得て当該テレビ電話機２の各部に供給する電源回路２１４とを備えている。
【０００６】
図４において、ドアホン子機３は、接続線Ｌ３を介して親機５に接続される一対の接続端子３０１と、来訪者を撮影して映像信号を出力するテレビカメラユニット３０２と、映像信号を送信する映像送信回路３０３と、送話音声を入力するマイク３０４と、音声出力用のスピーカ３０５と、マイク３０４からの音声信号増幅用のマイクアンプ３０６と、受話音声信号を増幅してスピーカ３０５を駆動するスピーカアンプ３０７と、送話および受話を一対の配線によって行うために４線を２線に変換する２線４線変換回路３０８と、映像信号および送受話の音声信号を多重化するとともに親機５からの多重化された信号を直流電圧などに分離する多重分離回路３０９と、来訪者の来訪を報知するための押し釦スイッチ３１０と、当該ドアホン子機３の各部に電力を供給する電源回路３１１とを備えている。
【０００７】
図５において、親機５は、接続線Ｌ３を介してドアホン子機３に接続される一対の接続端子５０１と、接続線Ｌ４を介してアダプタ６に接続される一対の接続端子５０２と、ドアホン子機３への音声信号、映像信号および電源出力の多重化および分離を行う多重分離回路５０３と、ドアホン子機３からの映像信号を受信する映像受信回路５０４と、来訪者の映像を映し出すモニタテレビユニット５０５と、ドアホン子機３と通話するためのマイク５０６およびスピーカ５０７と、マイク５０６からの音声信号を増幅するマイクアンプ５０８と、ドアホン子機１からの音声信号を増幅してスピーカ５０７を駆動するスピーカアンプ５０９と、送話および受話を一対の配線によって行うために４線を２線に変換する２線４線変換回路５１０と、操作入力用の操作スイッチ５１１と、この操作スイッチ５１１が接続されて当該親機５の各部の制御を行うＣＰＵ５００と、ドアホン子機３からの信号によって押し釦スイッチ３１０が押下されたか否かの検出を行う押し釦検出回路５１２と、アダプタ６への通話信号とドアホン子機３からの呼出信号を多重する多重回路５１３と、交流電源から直流電圧が所定レベルで安定する直流電力を得て当該親機５の各部に供給する電源回路５１４とを備えている。この電源回路５１４の出力は、多重分離回路５０３でドアホン子機３への信号と多重化される。
【０００８】
図２に戻って、アダプタ６は、接続線Ｌ１を介して公衆回線Ｎに接続される一対の接続端子６０１と、接続線Ｌ２を介してテレビ電話機２に接続される一対の接続端子６０２と、接続線Ｌ４を介して親機５に接続される一対の接続端子６０３と、ドアホン子機３からの呼出を検出するドアホン呼出検出回路６０４と、テレビ電話機２を接続する電話ラインインターフェース回路６０５と、テレビ電話機２を駆動する電力を供給するテレビ電話給電回路６０６と、親機５側および公衆回線Ｎ側にテレビ電話機２を切換接続するスイッチ６０７と、このスイッチ６０７の駆動を行うスイッチ制御回路６０８と、停電を検出するとスイッチ６０７を切り換えてテレビ電話機２を公衆回線Ｎ側に強制的に接続する停電検出回路６０９と、テレビ電話機２のフックの検出を行ってこの検出結果を後述のＣＰＵ６００に渡すフック検出回路６１０と、公衆回線Ｎからの着信を検出する電話着信検出回路６１１と、音源として各呼出を生成する呼出音発生回路６１２と、その音源を増幅して出力するアンプ・スピーカ６１３と、当該アダプタ６の各部の制御を行うものであって、例えばドアホン子機３および公衆回線Ｎからの呼出を検出してスイッチ６０７の切換制御を行うＣＰＵ６００と、交流電源から直流電圧が所定レベルで安定する直流電力を得て当該アダプタ６の各部に供給する電源回路６１４とを備えている。
【０００９】
このように構成されるドアホンシステムでは、外部映像を見ながらその外部との双方向の通話がドアホン子機３を介した親機５で可能になるほか、外部との双方向の通話がドアホン子機３、親機５およびアダプタ６を介したテレビ電話機２で可能になる。また、公衆回線Ｎを介したリモート側のテレビ電話機と本システム側のテレビ電話機２との間で、映像を見ながらの双方向の通話が可能になる。
【００１０】
なお、特開平８−１９５８２１号公報には、回線／ドアホン切換スイッチを備えるとともに、ドアホンおよび電話回線からの着信を通知する手段と、オフフック検出手段とを備えるドアホンシステムが開示されている。
【００１１】
【発明が解決しようとする課題】
しかしながら、図２に示す従来のドアホンシステムでは、ドアホン子機３、親機５およびアダプタ６を介したテレビ電話機２で、外部との双方向の通話が可能になるものの、ドアホン子機３からの呼出をテレビ電話機２で受けた際、来訪者の確認を行いたい場合には、親機５の画面にその外部映像を表示させる必要があり、手間となる場合があった。また、ドアホン子機３で撮影される外部映像のリモート確認または監視を行うことができなかった。
【００１２】
本発明は、上記事情に鑑みてなされたものであり、テレビ電話機で呼出を受けた際、来訪者の確認を行いたい場合に親機の画面に外部映像を表示させる手間が生ぜず、またドアホン子機で撮影される外部映像のリモート確認または監視が可能なドアホン子機アダプタを提供することを目的とする。
【００１３】
【課題を解決するための手段】
上記課題を解決するために請求項１記載の発明のドアホン子機アダプタは、公衆回線に接続される回線インターフェースと、テレビ電話機に接続される電話インターフェースと、カメラ付きのドアホン子機に接続される子機インターフェースと、この子機インターフェースからの映像信号を前記公衆回線およびテレビ電話機用の伝送方式に整合させ、また前記ドアホン子機用の通話信号を前記公衆回線およびテレビ電話機用の伝送方式に整合させるコーデックと、このコーデックにおける前記公衆回線およびテレビ電話機側に接続されるモデムと、前記回線インターフェースおよび電話インターフェースを介して前記公衆回線およびテレビ電話機をそれぞれ前記モデムに切換接続するスイッチとを備えるのである。
【００１４】
この構成では、ドアホン子機から呼出があった際に、スイッチによって、テレビ電話機が電話インターフェースを介してモデムに接続されると、ドアホン子機からの外部映像がテレビ電話機の画面に表示されるようになる。この結果、テレビ電話機で呼出を受けた際、来訪者の確認を行いたい場合に、従来のような親機の画面に外部映像を表示させる手間を省くことが可能になる。また、公衆回線に接続されたリモート側のテレビ電話機と接続する際に、スイッチによって、その公衆回線が回線インターフェースを介してモデムに接続されると、ドアホン子機からの外部映像がリモート側のテレビ電話機の画面に表示されるようになる。この結果、ドアホン子機で撮影される外部映像のリモート確認または監視が可能になる。
【００１５】
なお、前記テレビ電話機からのダイアル番号を検出する電話側検出手段を備え、この電話側検出手段によって検出されたダイアル番号がローカル接続用のダイアル番号であれば、前記スイッチを切り換えて、前記電話インターフェースを介して前記テレビ電話機を前記モデムに接続する構成でもよい（請求項２）。この構成では、テレビ電話機でローカル接続用のダイアル番号を入力して、このダイアル番号が電話側検出手段によって検出されると、テレビ電話機が電話インターフェースを介してモデムに接続されるようになる。この結果、テレビ電話機のダイアル番号の入力操作で、ドアホン子機で撮影される外部映像をテレビ電話機の画面に表示させることができる。
【００１６】
また、前記ドアホン子機および公衆回線からの呼出を報知する報知手段と、前記テレビ電話機のフックを検出するフック検出手段とを備え、このフック検出手段によってフックが検出される毎に、前記回線インターフェースおよび電話インターフェースを介して前記公衆回線およびテレビ電話機をそれぞれ前記モデムに切換接続する構成でもよい（請求項３）。この構成では、フックする毎に、公衆回線およびテレビ電話機がそれぞれ回線インターフェースおよび電話インターフェースを介してモデムに交互に切換接続されるようになる。これにより、ドアホン子機または公衆回線からの呼出が、例えば電話通話中または外部との通話中にあっても、簡単なフック操作をするだけで、所望する接続先にテレビ電話機を切換接続させることが可能になる。
【００１７】
また、前記公衆回線からの着信を検出する着信検出手段と、文字情報を前記テレビ電話機の画面にインポーズするオンスクリーン手段とを備える構成でもよい（請求項４）。この構成では、種々の文字情報がテレビ電話機の画面にインポーズされるようになる。これにより、例えば、ドアホン子機を介してテレビ電話機で外部と通話中に電話呼出があると、その旨をオンスクリーンで通知することが可能になる。
【００１８】
また、前記子機インターフェースは、少なくとも１台の前記ドアホン子機に接続されるドアホンインターフェースと、少なくとも１台の監視カメラに接続されるカメラインターフェースと、前記ドアホンインターフェースおよびカメラインターフェースを前記コーデック側に切換接続する切換手段とを有する構成でもよい（請求項５）。この構成によれば、複数の外部映像をテレビ電話機の画面で一元的に確認する（見る）ことができる。
【００１９】
また、留守設定手段と、前記公衆回線からのダイアル番号を検出する回線側検出手段と、所望するリモート接続用のダイアル番号を設定する番号設定手段とを備え、前記留守設定手段の設定が留守である場合に、前記回線側検出手段によって検出されたダイアル番号が前記リモート接続用のダイアル番号であれば、前記スイッチを切り換えて、前記回線インターフェースを介して前記公衆回線を前記モデムに接続する構成でもよい（請求項６）。この構成では、公衆回線に接続されたリモート側からリモート接続用のダイアル番号が送られてくると、そのダイアル番号が回線側検出手段によって検出され、その公衆回線が回線インターフェースを介してモデムに接続されるようになる。これにより、例えば、自宅の所望する外部映像を外出先のテレビ電話機の画面に表示させることが可能になる。
【００２０】
また、前記テレビ電話機からのダイアル番号を検出する電話側検出手段と、前記ドアホン子機および監視カメラの各々に所望するユニークな切換用のダイアル番号を割当設定する番号設定手段とを備え、前記電話側検出手段によって検出されたダイアル番号が前記切換用のダイアル番号であれば、前記ドアホンインターフェースおよびカメラインターフェースのうち、その切換用のダイアル番号に対応するインターフェースを前記コーデック側に接続する構成でもよい（請求項７）。この構成では、テレビ電話機で切換用のダイアル番号を入力して、このダイアル番号が電話側検出手段によって検出されると、その切換用のダイアル番号に対応するインターフェースがコーデック側に接続されるようになる。この結果、複数の外部映像をテレビ電話機の画面で選択的に確認する（見る）ことが可能となる。
【００２１】
さらに、前記公衆回線と前記テレビ電話機とを電気的に直結する直結手段と、停電の検出を行い、停電を検出すると前記直結手段によって前記公衆回線と前記テレビ電話機とを電気的に直結させる停電検出手段とを備える構成でもよい（請求項８）。この構成では、停電すると、公衆回線とテレビ電話機とが電気的に直結されるので、停電でも、公衆回線を介したテレビ電話機による通話が可能になる。
【００２２】
請求項９記載の発明のドアホン子機アダプタは、公衆回線に接続される回線インターフェースと、テレビ電話機に接続される電話インターフェースと、カメラ付きのドアホン子機に接続される子機インターフェースと、この子機インターフェースからの映像信号を前記公衆回線およびテレビ電話機用の伝送方式に整合させ、また前記ドアホン子機用の通話信号を前記公衆回線およびテレビ電話機用の伝送方式に整合させるコーデックと、このコーデックにおける前記公衆回線およびテレビ電話機側に接続されるモデムと、前記回線インターフェースおよび電話インターフェースを介して前記公衆回線およびテレビ電話機をそれぞれ前記モデムに切換接続するスイッチとを備えるとともに、前記テレビ電話機からのダイアル番号を検出する電話側検出手段と、前記ドアホン子機および公衆回線からの呼出を報知する報知手段と、前記テレビ電話機のフックを検出するフック検出手段と、前記公衆回線からの着信を検出する着信検出手段と、文字情報を前記テレビ電話機の画面にインポーズするオンスクリーン手段と、留守設定手段と、前記公衆回線からのダイアル番号を検出する回線側検出手段と、所望するリモート接続用のダイアル番号を設定するとともに、前記ドアホン子機および監視カメラの各々に所望するユニークな切換用のダイアル番号を割当設定する番号設定手段と、前記公衆回線と前記テレビ電話機とを電気的に直結する直結手段と、停電の検出を行い、停電を検出すると前記直結手段によって前記公衆回線と前記テレビ電話機とを電気的に直結させる停電検出手段とを備え、前記子機インターフェースは、少なくとも１台の前記ドアホン子機に接続されるドアホンインターフェースと、少なくとも１台の監視カメラに接続されるカメラインターフェースと、前記ドアホンインターフェースおよびカメラインターフェースを前記コーデック側に切換接続する切換手段とを有し、前記電話側検出手段によって検出されたダイアル番号がローカル接続用のダイアル番号であれば、前記スイッチを切り換えて、前記電話インターフェースを介して前記テレビ電話機を前記モデムに接続し、前記フック検出手段によってフックが検出される毎に、前記回線インターフェースおよび電話インターフェースを介して前記公衆回線およびテレビ電話機をそれぞれ前記モデムに切換接続し、前記留守設定手段の設定が留守である場合に、前記回線側検出手段によって検出されたダイアル番号が前記リモート接続用のダイアル番号であれば、前記スイッチを切り換えて、前記回線インターフェースを介して前記公衆回線を前記モデムに接続し、前記電話側検出手段によって検出されたダイアル番号が前記切換用のダイアル番号であれば、前記ドアホンインターフェースおよびカメラインターフェースのうち、その切換用のダイアル番号に対応するインターフェースを前記コーデック側に接続するものである。
【００２３】
【発明の実施の形態】
図１は本発明の一実施形態に係るドアホン子機アダプタなどを示す構成図で、この図を用いて以下に本実施形態の説明を行う。ただし、図１に示す識別のために設けた括弧内の符号を適宜使用しながら説明する。
【００２４】
図１の例では、ドアホン子機アダプタ（以下、単にアダプタ）１は、公衆回線Ｎに接続され、１台のテレビ電話機２、２台のカメラ付きのドアホン子機３および１台の監視カメラ４とともに使用されている。ただし、本実施形態では、監視カメラ４は、ドアホン子機３と同様の音声入出力機能を有しているものとする。
【００２５】
まず、本実施形態の基本部分について説明すると、アダプタ１は、公衆回線Ｎに接続される当該アダプタ１、１台のテレビ電話機２、２台のドアホン子機３および１台の監視カメラ４により構成されるシステム全般の制御を行うＣＰＵ１０と、交流電源から直流電圧が所定レベルで安定する直流電力を得て当該アダプタ１の各部に供給する電源回路１１と、この電源回路１１の出力電力から所定電力を得てテレビ電話機２に供給するテレビ電話給電回路１２とを備えているほか、接続線Ｌ１を介して公衆回線Ｎに接続される一対の接続端子１０１と、この接続端子１０１などを介して公衆回線Ｎに接続される回線インターフェース１０２と、接続線Ｌ２を介してテレビ電話機２に接続される一対の接続端子１０３と、この接続端子１０３などを介してテレビ電話機２に接続される電話ラインインターフェース１０４（電話インターフェース）と、２台のドアホン子機３および１台の監視カメラ４に接続される子機インターフェース１１０と、この子機インターフェース１１０からの映像信号を公衆回線Ｎおよびテレビ電話機２用の伝送方式に整合させ、またドアホン子機３用の通話信号を公衆回線Ｎおよびテレビ電話機２用の伝送方式に整合させる、つまり整合の取れたデータ信号に圧縮伸張するコーデック１２０と、このコーデック１２０における公衆回線Ｎおよびテレビ電話機２側に接続されるデータ送受信用のモデム１２１と、接点１３１〜１３５を有し、回線インターフェース１０２および電話ラインインターフェース１０４を介して公衆回線Ｎおよびテレビ電話機２をそれぞれモデム１２１に切換接続するスイッチ１３０とを備えている。
【００２６】
なお、１５０は音源としてのチャイム音声ガイダンス回路で、１５１はその音源を増幅して出力するアンプ・スピーカである。また、ＣＰＵ１０の詳細な制御動作例については順次後述する。
【００２７】
上記基本部分において、子機インターフェース１１０には、接続線Ｌ３を介してドアホン子機３ａに接続される一対の接続端子１１１、およびドアホン子機３ａの呼出の検出を行ってこの検出結果をＣＰＵ１０に渡す押し釦検出回路１１２を有し、映像信号の取込みおよび通話信号の双方向転送を行うドアホンインターフェース１１３と、接続線Ｌ３を介してドアホン子機３ｂに接続される一対の接続端子１１４、およびドアホン子機３ｂの呼出の検出を行ってこの検出結果をＣＰＵ１０に渡す押し釦検出回路（図示せず）を有し、映像信号の取込みおよび通話信号の双方向転送を行うドアホンインターフェース１１６と、接続線Ｌ３を介して監視カメラ４に接続される一対の接続端子１１７を有し、映像信号の取込みおよび通話信号の双方向転送を行うカメラインターフェース１１８と、ドアホンインターフェース１１３，１１６およびカメラインターフェース１１８のいずれか１つをコーデック１２０側に切換接続するスイッチ１１９（切換手段）とが具備されている。
【００２８】
また、接点１３１により開閉される両端の一方はモデム１２１に接続され、他方は接点１３２，１３３を介して回線インターフェース１０２および電話ラインインターフェース１０４にそれぞれ接続されている。また、接点１３４によって公衆回線Ｎが回線インターフェース１０２および内部配線ＩＬの一端のいずれかに切換接続される一方、接点１３５によってテレビ電話機２が電話ラインインターフェース１０４および内部配線ＩＬの他端のいずれかに切換接続される構成になっている。
【００２９】
ただし、スイッチ１３０の各接点は、これら各接点の開閉駆動を行うスイッチ制御回路１３６を介したＣＰＵ１０の制御によって開閉される。また、接点１３４，１３５は、通常、回線インターフェース１０２および電話ラインインターフェース１０４にそれぞれ接続されており、公衆回線Ｎとテレビ電話機２とを接続する場合に、内部配線ＩＬ側に切換接続される。
【００３０】
さらに、子機インターフェース１１０とコーデック１２０との間には、コーデック１２０から子機インターフェース１１０への通話信号に電源回路１１からの出力を乗せる多重化を行う一方、子機インターフェース１１０からの多重化された映像信号および通話信号を分離する多重分離回路１２２と、多重分離回路１２２で分離された映像信号の受信処理を行う映像受信回路１２３と、コーデック１２０と多重分離回路１２２との間における通話信号の双方向転送処理を行う音声送受信回路１２４とが具備されている。
【００３１】
このようにアダプタ１を構成すれば、従来と同様の外部との双方向の通話がドアホン子機３およびアダプタ１を介したテレビ電話機２で可能になるほか、ドアホン子機３からの外部映像をテレビ電話機２の画面で見ることが可能になる。また、ドアホン子機３からの外部映像をアダプタ１および公衆回線Ｎを介したリモート側のテレビ電話機の画面で見ることも可能になる。さらに、テレビ電話機２およびリモート側のテレビ電話機の双方で、その画面にドアホン子機３および監視カメラ４からの外部映像を切換表示させることが可能になる。
【００３２】
次に、上記構成に付加される種々の機能ブロックについて順次説明すると、アダプタ１には、テレビ電話機２からのダイアル番号の検出を行い、この検出結果をＣＰＵ１０に渡すダイアルＮＯ検出回路１４０（電話側検出手段）がさらに具備されている。
【００３３】
ここで、ＣＰＵ１０は、ダイアルＮＯ検出回路１４０によって検出されたダイアル番号がローカル接続用のダイアル番号であれば、スイッチ１３０を切り換えて、すなわち接点１３２を開にして接点１３１，１３３を閉にし、電話ラインインターフェース１０４を介してテレビ電話機２をモデム１２１に接続するとともに、スイッチ１１９を切り換えて、子機インターフェース１１０の各インターフェースのうち、そのダイアル番号で特定されるインターフェースを多重分離回路１２２に接続する制御を行うように構成される。
【００３４】
これにより、テレビ電話機２は、モデム１２１に接続されるとともにこのモデム１２１などを介してドアホン子機３および監視カメラ４のうちの所望する機器に接続されるので、テレビ電話機２の画面に所望する外部映像を表示させることが可能になる。
【００３５】
また、アダプタ１には、公衆回線Ｎからの着信の検出を行い、この検出結果をＣＰＵ１０に渡す電話着信検出回路１４１（着信検出手段）と、ドアホン子機３および公衆回線Ｎからの呼出を報知すべく、テレビ電話機２で呼出音を発生させるための電話呼出信号を生成してテレビ電話機２側に送信する電話呼出信号発生回路１４２（報知手段）と、テレビ電話機２のフックの検出を行い、この検出結果をＣＰＵ１０に渡すフック検出回路１４３（フック検出手段）とがさらに具備されている。
【００３６】
ここで、ＣＰＵ１０は、公衆回線Ｎからの電話呼出やドアホン子機３からの呼出があれば、電話呼出信号発生回路１４２によって電話呼出信号をテレビ電話機２に送信させるほか、フック検出回路１４３によってフックが検出される毎に、回線インターフェース１０２および電話ラインインターフェース１０４を介して公衆回線Ｎおよびテレビ電話機２をそれぞれモデム１２１に交互に切換接続する制御を行うように構成される。
【００３７】
これにより、公衆回線Ｎおよびドアホン子機３からの呼出を知ることができるとともに、そのような呼出が、例えば電話で通話中に、外部と話し中にまたは監視カメラ４で監視中にあっても、簡単なフック操作をするだけで、所望する接続先にテレビ電話機２を切換接続させることが可能になる。
【００３８】
また、アダプタ１には、ＣＰＵ１０からの信号に従って、文字情報をテレビ電話機２の画面にインポーズするための信号を生成してコーデック１２０などを介してテレビ電話機２に向けて送出するオンスクリーン回路１４４（通知手段）が具備されている。
【００３９】
ここで、ＣＰＵ１０は、例えば電話着信検出回路１４１によって着信が検出されると、オンスクリーン回路１４４によってその旨をオンスクリーンでテレビ電話機２に通知させる制御を行うように構成される。
【００４０】
これにより、例えばドアホン子機３を介してテレビ電話機２で外部と話し中に公衆回線Ｎからの電話呼出があると、その旨がオンスクリーンでテレビ電話機２の画面に通知されることになる。
【００４１】
また、アダプタ１には、留守設定部１４５（留守設定手段）と、公衆回線Ｎからのダイアル番号の検出を行い、この検出結果をＣＰＵ１０に渡すダイアルＮＯ検出回路１４６（回線側検出手段）と、ダイアル番号を設定するダイアルＮＯ設定部１４７（番号設定手段）とが具備されている。
【００４２】
例えば、ダイアルＮＯ設定部１４７で、ドアホン子機３および監視カメラ４の各々に所望するユニークな切換用のダイアル番号を割当設定することができ、また所望するリモート接続用のダイアル番号（つまり暗証番号）を設定することができる。ただし、ダイアルＮＯ検出回路１４０によって検出されたダイアル番号が切換用のダイアル番号であれば、そのダイアル番号は上述したローカル接続用のダイアル番号として取り扱われる。
【００４３】
ここで、ＣＰＵ１０は、留守設定部１４５の設定が留守である場合に、ダイアルＮＯ検出回路１４６によって検出されたダイアル番号がリモート接続用のダイアル番号であれば、スイッチ１３０を切り換えて、つまり接点１３３を開にして接点１３１，１３２を閉にし、回線インターフェース１０２を介して公衆回線Ｎをモデム１２１に接続する一方、ダイアルＮＯ検出回路１４０，１４６によって検出されたダイアル番号が切換用のダイアル番号であれば、スイッチ１１９を切り換えて、子機インターフェース１１０の各インターフェースのうち、その切換用のダイアル番号で特定されるインターフェースを多重分離回路１２２に接続する制御を行うように構成される。
【００４４】
これにより、公衆回線Ｎは、モデム１２１に接続されるとともにこのモデム１２１などを介してドアホン子機３および監視カメラ４のうちの所望する機器に接続されるので、例えば、自宅の所望する外部映像を外出先のテレビ電話機の画面に表示させることが可能になる。
【００４５】
さらに、アダプタ１には、停電の検出を行い、停電を検出すると、公衆回線Ｎとテレビ電話機２とを電気的に直結、すなわち接点１３４，１３５の双方を内部配線ＩＬに強制的に接続させる停電検出回路１４８が具備されている。これにより、停電時でも、テレビ電話機２による公衆回線Ｎを介した通話が可能となる。
【００４６】
次に、本アダプタ１の動作例の幾つかを説明する。例えば、ドアホン子機３ａの押し釦が押下されると、その押し釦が押下された旨の検出結果が押し釦検出回路１１２からＣＰＵ１０に渡され、ドアホンインターフェース１１３が多重分離回路１２２に接続されるとともに、テレビ電話機２が電話ラインインターフェース１０４を介してモデム１２１に接続される。この結果、テレビ電話機２で、ドアホン子機３ａにより撮影される外部映像を見ながら、外部と双方向に会話をすることができる。
【００４７】
また、ドアホン子機３ｂの押し釦が押下されると、その押し釦が押下された旨の検出結果がドアホンインターフェース１１６の押し釦検出回路からＣＰＵ１０に渡され、ドアホンインターフェース１１６が多重分離回路１２２に接続されるとともに、テレビ電話機２が電話ラインインターフェース１０４を介してモデム１２１に接続される。この結果、テレビ電話機２で、ドアホン子機３ｂにより撮影される外部映像を見ながら、外部と双方向に会話をすることができる。
【００４８】
また、テレビ電話機２で、監視カメラ４に割当設定された切換用のダイアル番号を入力して、このダイアル番号がダイアルＮＯ検出回路１４０によって検出されると、カメラインターフェース１１８が多重分離回路１２２に接続されるとともに、テレビ電話機２が電話ラインインターフェース１０４を介してモデム１２１に接続される。この結果、テレビ電話機２で、監視カメラ４で撮影される外部映像を確認することができる。また、本実施形態では、その外部近傍の音や音声を聴くことができるとともに、その外部に向けて声をかけることができる。
【００４９】
また、公衆回線Ｎから着信があると、接点１３４，１３５の双方が内部配線ＩＬに切換接続される。この後、公衆回線Ｎに接続されたリモート側のテレビ電話機からリモート接続用のダイアル番号が送られてくると、このダイアル番号がダイアルＮＯ検出回路１４６によって検出され、公衆回線Ｎが、回線インターフェース１０２に切換接続されるとともにその回線インターフェース１０２を介してモデム１２１に接続される。このとき、スイッチ１１９によって多重分離回路１２２に接続されている方の機器によって撮影される外部映像が、リモート側のテレビ電話機の画面に表示される。この後、リモート側のテレビ電話機から切換用のダイアル番号が送られてくると、このダイアル番号がダイアルＮＯ検出回路１４６によって検出され、その切換用のダイアル番号に対応する子機インターフェース１１０内のインターフェースが多重分離回路１２２に接続される。これにより、リモート側のテレビ電話で外部映像を選択的に切り換えて見ることが可能になる。
【００５０】
さらに、テレビ電話機２で、ローカル接続用のダイアル番号、すなわち本実施形態では切換用のダイアル番号を入力すると、このダイアル番号がダイアルＮＯ検出回路１４０によって検出され、そのダイアル番号に対応する子機インターフェース１１０内のインターフェースが多重分離回路１２２に接続される。この結果、テレビ電話機２で、外部映像を選択的に切り換えて見ることが可能になる。
【００５１】
なお、本実施形態では、アダプタ１、１台のテレビ電話機２、２台のドアホン子機３および１台の監視カメラ４によってシステムが構成されているが、最小のシステムを構成するには、アダプタ１、１台のテレビ電話機２および１台のドアホン子機３があればよい。
【００５２】
また、本実施形態では、アダプタ１には、ドアホン子機３と同様の音声入出力機能を有する監視カメラ４が接続されるが、これに限らず、音声入出力機能を有さない監視カメラを接続可能にドアホン子機アダプタを構成するようにしてもよいのは言うまでもない。
【００５３】
【発明の効果】
以上のことから明らかなように、請求項１記載の発明によれば、公衆回線に接続される回線インターフェースと、テレビ電話機に接続される電話インターフェースと、カメラ付きのドアホン子機に接続される子機インターフェースと、この子機インターフェースからの映像信号を前記公衆回線およびテレビ電話機用の伝送方式に整合させ、また前記ドアホン子機用の通話信号を前記公衆回線およびテレビ電話機用の伝送方式に整合させるコーデックと、このコーデックにおける前記公衆回線およびテレビ電話機側に接続されるモデムと、前記回線インターフェースおよび電話インターフェースを介して前記公衆回線およびテレビ電話機をそれぞれ前記モデムに切換接続するスイッチとを備えるので、テレビ電話機で呼出を受けた際、来訪者の確認を行いたい場合に、従来のような親機の画面に外部映像を表示させる手間を省くことが可能になるとともに、ドアホン子機で撮影される外部映像のリモート確認または監視が可能になる。
【００５４】
請求項２記載の発明によれば、前記テレビ電話機からのダイアル番号を検出する電話側検出手段を備え、この電話側検出手段によって検出されたダイアル番号がローカル接続用のダイアル番号であれば、前記スイッチを切り換えて、前記電話インターフェースを介して前記テレビ電話機を前記モデムに接続するので、テレビ電話機のダイアル番号の入力操作で、ドアホン子機で撮影される外部映像をテレビ電話機の画面に表示させることができる。
【００５５】
請求項３記載の発明によれば、前記ドアホン子機および公衆回線からの呼出を報知する報知手段と、前記テレビ電話機のフックを検出するフック検出手段とを備え、このフック検出手段によってフックが検出される毎に、前記回線インターフェースおよび電話インターフェースを介して前記公衆回線およびテレビ電話機をそれぞれ前記モデムに切換接続するので、ドアホン子機または公衆回線からの呼出が、例えば電話通話中または外部との通話中にあっても、簡単なフック操作をするだけで、所望する接続先にテレビ電話機を切換接続させることが可能になる。
【００５６】
請求項４記載の発明によれば、前記公衆回線からの着信を検出する着信検出手段と、文字情報を前記テレビ電話機の画面にインポーズするオンスクリーン手段とを備えるので、例えば、ドアホン子機を介してテレビ電話機で外部と通話中に電話呼出があると、その旨をオンスクリーンで通知することが可能になる。
【００５７】
請求項５記載の発明によれば、前記子機インターフェースは、少なくとも１台の前記ドアホン子機に接続されるドアホンインターフェースと、少なくとも１台の監視カメラに接続されるカメラインターフェースと、前記ドアホンインターフェースおよびカメラインターフェースを前記コーデック側に切換接続する切換手段とを有するので、複数の外部映像をテレビ電話機の画面で一元的に確認する（見る）ことができる。
【００５８】
請求項６記載の発明によれば、留守設定手段と、前記公衆回線からのダイアル番号を検出する回線側検出手段と、所望するリモート接続用のダイアル番号を設定する番号設定手段とを備え、前記留守設定手段の設定が留守である場合に、前記回線側検出手段によって検出されたダイアル番号が前記リモート接続用のダイアル番号であれば、前記スイッチを切り換えて、前記回線インターフェースを介して前記公衆回線を前記モデムに接続するので、例えば、自宅の所望する外部映像を外出先のテレビ電話機の画面に表示させることが可能になる。
【００５９】
請求項７記載の発明によれば、前記テレビ電話機からのダイアル番号を検出する電話側検出手段と、前記ドアホン子機および監視カメラの各々に所望するユニークな切換用のダイアル番号を割当設定する番号設定手段とを備え、前記電話側検出手段によって検出されたダイアル番号が前記切換用のダイアル番号であれば、前記ドアホンインターフェースおよびカメラインターフェースのうち、その切換用のダイアル番号に対応するインターフェースを前記コーデック側に接続するので、複数の外部映像をテレビ電話機の画面で選択的に確認する（見る）ことが可能となる。
【００６０】
請求項８記載の発明によれば、前記公衆回線と前記テレビ電話機とを電気的に直結する直結手段と、停電の検出を行い、停電を検出すると前記直結手段によって前記公衆回線と前記テレビ電話機とを電気的に直結させる停電検出手段とを備えるので、停電でも、公衆回線を介したテレビ電話機による通話が可能になる。
【００６１】
請求項９記載の発明によれば、公衆回線に接続される回線インターフェースと、テレビ電話機に接続される電話インターフェースと、カメラ付きのドアホン子機に接続される子機インターフェースと、この子機インターフェースからの映像信号を前記公衆回線およびテレビ電話機用の伝送方式に整合させ、また前記ドアホン子機用の通話信号を前記公衆回線およびテレビ電話機用の伝送方式に整合させるコーデックと、このコーデックにおける前記公衆回線およびテレビ電話機側に接続されるモデムと、前記回線インターフェースおよび電話インターフェースを介して前記公衆回線およびテレビ電話機をそれぞれ前記モデムに切換接続するスイッチとを備えるとともに、前記テレビ電話機からのダイアル番号を検出する電話側検出手段と、前記ドアホン子機および公衆回線からの呼出を報知する報知手段と、前記テレビ電話機のフックを検出するフック検出手段と、前記公衆回線からの着信を検出する着信検出手段と、文字情報を前記テレビ電話機の画面にインポーズするオンスクリーン手段と、留守設定手段と、前記公衆回線からのダイアル番号を検出する回線側検出手段と、所望するリモート接続用のダイアル番号を設定するとともに、前記ドアホン子機および監視カメラの各々に所望するユニークな切換用のダイアル番号を割当設定する番号設定手段と、前記公衆回線と前記テレビ電話機とを電気的に直結する直結手段と、停電の検出を行い、停電を検出すると前記直結手段によって前記公衆回線と前記テレビ電話機とを電気的に直結させる停電検出手段とを備え、前記子機インターフェースは、少なくとも１台の前記ドアホン子機に接続されるドアホンインターフェースと、少なくとも１台の監視カメラに接続されるカメラインターフェースと、前記ドアホンインターフェースおよびカメラインターフェースを前記コーデック側に切換接続する切換手段とを有し、前記電話側検出手段によって検出されたダイアル番号がローカル接続用のダイアル番号であれば、前記スイッチを切り換えて、前記電話インターフェースを介して前記テレビ電話機を前記モデムに接続し、前記フック検出手段によってフックが検出される毎に、前記回線インターフェースおよび電話インターフェースを介して前記公衆回線およびテレビ電話機をそれぞれ前記モデムに切換接続し、前記留守設定手段の設定が留守である場合に、前記回線側検出手段によって検出されたダイアル番号が前記リモート接続用のダイアル番号であれば、前記スイッチを切り換えて、前記回線インターフェースを介して前記公衆回線を前記モデムに接続し、前記電話側検出手段によって検出されたダイアル番号が前記切換用のダイアル番号であれば、前記ドアホンインターフェースおよびカメラインターフェースのうち、その切換用のダイアル番号に対応するインターフェースを前記コーデック側に接続するもので、請求項１〜８の作用・効果全てを奏することが可能になる。
【図面の簡単な説明】
【図１】本発明の一実施形態に係るドアホン子機アダプタなどを示す構成図である。
【図２】従来のドアホンシステムの例を示す図である。
【図３】図２に示すテレビ電話機の構成図である。
【図４】図２に示すドアホン子機の構成図である。
【図５】図２に示す親機の構成図である。
【符号の説明】
１  ドアホン子機アダプタ（アダプタ）
２  テレビ電話機
３  ドアホン子機
４  監視カメラ
１０  ＣＰＵ
Ｎ  公衆回線
１１  電源回路
１２  テレビ電話給電回路
１０１  接続端子
１０２  回線インターフェース
１０３  接続端子
１０４  電話ラインインターフェース
１１０  子機インターフェース
１１１  接続端子
１１２  押し釦検出回路
１１３  ドアホンインターフェース
１１４  接続端子
１１６  ドアホンインターフェース
１１７  接続端子
１１８  カメラインターフェース
１１９  スイッチ
１２０  コーデック
１２１  モデム
１２２  多重分離回路
１２３  映像受信回路
１２４  音声送受信回路
１３０  スイッチ
１３１〜１３５  接点
１３６  スイッチ制御回路
１４０  ダイアルＮＯ検出回路
１４１  電話着信検出回路
１４２  電話呼出信号発生回路
１４３  フック検出回路
１４４  オンスクリーン回路
１４５  留守設定部
１４６  ダイアルＮＯ検出回路
１４７  ダイアルＮＯ設定部
１４８  停電検出回路
【図１】
0003726549.tif 000002
【図２】
0003726549.tif 000003
【図３】
0003726549.tif 000004
【図４】
0003726549.tif 000005
【図５】
0003726549.tif 000006